(57)【要約】      （修正有）【課題】湿潤な環境の下で長靴を履く使用者に対し、快適な履き心地を提供し、且つ不用意な変形や破損などを生じ難くした空調長靴を提供する。【解決手段】空調長靴は、長靴（半長靴を含む）２の縦長の脚筒部３における履口４側の前外側面に配置した送風ユニット８と、脚筒部の前外側面と、横長の足甲部６の上面とに沿って形成され、上端部が送風ユニットの送風口１１と連通し、且つ足甲部の爪先側に内側に開口する通気孔１９を有する通気路１７と、を備える。【選択図】図２
0003220123.tif 000002
【実用新案登録請求の範囲】
【請求項１】
長靴(２)または半長靴の縦長の脚筒部(３)における履口(４)側の前外側面に配置した送風ユニット(８)と、
上記長靴(２)または半長靴における上記脚筒部(３)の前外側面と、横長の足甲部(６)の上面とに沿って形成され、上端部が上記送風ユニット(８)の送風口(１１)と連通し、且つ上記足甲部(６)の爪先(ｆ４)側に該足甲部(６)の内側に開口する通気孔(１９)を有する通気路(１７)と、を備えている、
ことを特徴とする空調長靴(１)。
【請求項２】
前記通気路(１７)は、その長手方向における両端部を除いたほぼ全長に沿って単数または複数の仕切り壁(１８)を有している、
ことを特徴とする請求項１に記載の空調長靴(１)。
【請求項３】
前記通気路(１７)における長手方向と直交する断面の幅(ｗ)は、２０〜３０ｍｍであり、且つ厚み(ｔ)は、８〜１２ｍｍである、
ことを特徴とする請求項１または２に記載の空調長靴(１)。
【請求項４】
前記脚筒部(３)における履口(４)側の後外側面、または両外側面の何れか一方には、前記送風ユニット(８)内のモーターと導通する電池収納部(１５)が配置されている、  
ことを特徴とする請求項１乃至３の何れか一項に記載の空調長靴(１)。
【請求項５】
前記足甲部(６)の内側における底面を構成するソール(７)上には、多孔質で且つ高弾性を有する中敷(２３)が敷設されている、
ことを特徴とする請求項１乃至４の何れか一項に記載の空調長靴(１)。
【考案の詳細な説明】
【技術分野】
【０００１】
本考案は、例えば、長靴内の足周りに外気を循環して送風することによって、快適な履き心地が得られる空調長靴に関する。
【背景技術】
【０００２】
例えば、食品加工場、地下の保冷室、あるいは、トンネル工事や災害復旧作業現場などのような高湿度で且つ水蒸気や水滴が付着し易い環境では、殆んどの作業者は長靴を履いて作業しているが、その多くの方は、長靴内での蒸れや湿潤状態に悩まされているため、作業性の低下を招き易くなっている。
前記のような悩みを解消するため、例えば、長靴の脚入り口の上方に送風機本体を着脱可能に取り付け、該送風機本体から前記長靴の内側に垂下させた扁平な断面を有する柔軟な送風管の下端を、上記長靴の靴底側に開口させることにより、上記送風機本体から前記送風管を介して、外気を長靴内の足周り付近に対して送風可能とした外気送風装置が提供されている（例えば、特許文献１参照）。
【０００３】
しかし、前記のような外気送風装置では、前記柔軟な送風管が長靴の内側面と使用者の脚との狭い隙間内に配置されているため、該使用者にとって履き心地が悪く、且つ歩行しずらくなるなどにより、作業性が低下するおそれが大であった。
しかも、前記送風機本体が長靴における履き口の上方に突出しているため、使用者の歩行に際して邪魔となったり、あるいは、不用意に周囲の物との接触または衝突を招き易く、変形ないし破損などから故障に至り易くなる場合もあった。
【先行技術文献】
【特許文献】
【０００４】
【特許文献１】登録実用新案第３２１５４４８号公報（第１〜９頁、図１〜５）
【考案の概要】
【考案が解決しようとする課題】
【０００５】
本考案は、背景技術で説明した問題点を解決し、湿潤な環境の下において長靴を履く使用者に対し、快適な履き心地を提供し、且つ不用意な変形や破損などを生じにくくした空調長靴を提供する、ことを課題とする。
尚、本考案の長靴には、丈が比較的低い半長靴も含まれているものとする。
【課題を解決するための手段および考案の効果】
【０００６】
本考案は、前記課題を解決するため、ファンやモーターなどを内蔵した送風ユニットを、長靴における縦形の脚筒部における履き口の前外側面に配置し、且つ前記長靴の脚筒部の前外側面から足甲部の上面を経て爪先側に至る通気路を形成し、該通気路の先端側から上記送風ユニットから送風された外気を、使用者の爪先側やよびその足周りを経て、前記履口側に送風するよう循環させる、ことに着想して成されたものである。
【０００７】
即ち、本考案の空調長靴（請求項１）は、長靴または半長靴の縦長の脚筒部における履口側の前外側面に配置した送風ユニットと、上記長靴または半長靴における上記脚筒部の前外側面と、横長の足甲部の上面とに沿って形成され、上端部が上記送風ユニットの送風口と連通し、且つ上記足甲部の爪先側に該足甲部の内側に開口する通気孔を有する通気路と、を備えている、ことを特徴とする。
【０００８】
前記空調長靴によれば、以下の効果（１），（２）を得ることができる。
（１）前記履口側の前外側面に配置された前記送風ユニットから送風された外気は、該送風ユニットの送風口と連通し、且つ前記足甲部の爪先側に該足甲部の内側に開口する通気孔を有する通気路を経て、使用者の爪先側から両踝や踵側に通風した後、前記脚筒部の履口側に環流するように循環する。その結果、湿潤な環境の下で長靴または半長靴を履く使用者に対して、快適な履き心地を提供できる。
（２）前記送風ユニットは、前記履口側の前外側面に配置され、且つ前記通気路は、縦長の前記脚筒部における前外側面および横長の前記足甲部の上面を経て、該足甲部の爪先側の通気孔から当該足甲部の内側に連通している。即ち、長靴や半長靴の外側には、突出部が比較的少ないため、使用者が所要の作業を行っている際に、不用意な接触や衝突に遭う機会が低減される。従って、変形や破損などによる故障が抑制できるので、長期間に亘り快適で安定した利用状態が得られる。
【０００９】
尚、前記長靴や半長靴は、合成ゴムのほか、合成樹脂（例えば、ＰＶＣ、ＥＶＡ、ＰＵなど）からなり、上端に開口する履き口を有する縦長の脚筒部と、横長の足甲部と、足裏側のソール（靴底）とを一体に有する防水タイプのものである。
また、前記通気路を囲む凸条やその内側に設ける後述の仕切り壁の材料も、上記合成ゴムや合成樹脂と同じか、同種のものが接着や溶着にて固着されている。
更に、前記送風ユニットは、全体が扁平な板形状を呈するケースの内側に、モーターやファンなどを内蔵し、前記ケースの前面側の開口部から吸引した外気を、該ケースから垂下する角筒形の送風管の下端に開口する送風口から吐出する。
【００１０】
また、前記送風ユニットは、上記送風管を前記通気路の上端における開口部からその内側に挿入した状態で前記の位置に配置しても良いが、これに加え、更に上記ケースの背面側と前記脚筒部の前外側面とを、例えば面ファスナーによる着脱可能な結合、または扁平なフックと受け金具とによる掛け止めを施しても良い。
更に、前記送風ユニットに内蔵するファンには、比較的扁平なシロッコファンが推奨されるが、軸流ファンを用いても良い。
また、前記通気孔のサイズは、前記足甲部の平面視において、例えば、前後方向が約４５ｍｍで且つ幅が約２０ｍｍである。
加えて、上記ケースの側面には、上記モーターに導通する接続部が設けられ、該接続部には、後述する電池収納部に収納される電池と通電可能とするケーブルにおける一端側の端子が接続される。
【００１１】
また、本考案には、前記通気路は、その長手方向における両端部を除いたほぼ全長に沿って単数または複数の仕切り壁を有している、空調長靴（請求項２）も含まれる。
これによれば、前記通気路を囲んで外側に突出する凸条の厚みが、不用意な外力などを受けても低減されず、当該通気路の断面積が保ち易くなることにより、圧力損失が生じ難くなるので、前記効果（１）が確実に得られる。
【００１２】
更に、本考案には、前記通気路における長手方向と直交する断面の幅は、２０〜３０ｍｍであり、且つ厚みは、８〜１２ｍｍである、空調長靴（請求項３）も含まれる。
これによれば、前記通気路内を送風される外気の風量を、前述した快適状態を得るために必要な所要量以上にして保ち易くなるので、前記効果（１）をより確実に得られる。
尚、前記断面の幅が２０ｍｍ未満で且つ前記厚みが８ｍｍ未満になると、上記所定量の風量を得られにくくなり、一方、前記断面の幅が３０ｍｍ超で且つ前記厚みが１２ｍｍ超になると、風量が過大となって、前記送風ユニットに内蔵するモータやファンでは、実現性が困難化するため、これらの範囲を除外している。
【００１３】
また、本考案には、前記脚筒部における履口側の後外側面、または両外側面の何れか一方には、前記送風ユニット内のモーターと導通する電池収納部が配置されている、空調長靴（請求項４）も含まれる。
これによれば、前記送風ユニット内のモーターと導通する電池収納部が、前記脚筒部における履口側の後外側面、または両外側面の何れか一方に配置されているので、使用者の作業に支障を招き難く、且つ上記モーターに所要の電力を安定して給電できる。従って、前記効果（１）が安定して得られると共に、前記効果（２）に対しても寄与することができる。
尚、前記電池収納部に収納する電池には、小型で且つ高出力が可能なリチウムイオン電池（例えば、出力５Ｖ、２６００〜２８００ｍａｈ）が推奨される。
【００１４】
加えて、本考案には、前記横長の足甲部の内側における底面を構成するソール上には、多孔質で且つ高弾性を有する中敷が敷設されている、空調長靴（請求項５）も含まれる。
これによれば、前記通気路から通気孔を経て、前記足甲部の内側における爪先側に送風された外気は、足裏とソールの上面とに挟まれた前記中敷の内部にも通風していくので、使用者の足裏側についても除湿できるので、前記効果（１）を一層確実に得ることができる。
尚、前記中敷には、例えば、硬質樹脂からなる平面視がハニカム形状を呈する上下２層のハニカム構造体の間に、高弾性の樹脂繊維からなる立体型の多孔質シートを一体化して挟み込んだシート状物であり、且つ前記長靴などのソールの上面に相似形状にカットしたものである。
【図面の簡単な説明】
【００１５】
【図１】（Ａ），（Ｂ）は、本考案による一形態の空調長靴を異なる視覚で示す斜視図、（Ｃ）は、前記（Ａ）中のＣ−Ｃ線の矢視に沿った部分断面図。
【図２】（Ａ）は、上記空調長靴に用いる送風ユニットの垂直断面図、（Ｂ）は、前記空調長靴の前後方向に沿った垂直断面図。
【図３】前記空調長靴の作用を示す概略図。
【考案を実施するための形態】
【００１６】
以下において、本考案を実施するための形態について説明する。
図１（Ａ），（Ｂ）は、本考案による一形態の空調長靴１を、斜め上方からの異なる視覚で示す斜視図であり、図１（Ｃ）は、前記（Ａ）中のＣ−Ｃ線の矢視に沿った部分断面図である。
上記空調長靴１は、図１（Ａ），（Ｂ）に示すように、長靴本体（長靴）２と、該長靴本体２の前外側面に沿って細長い円弧状にて突出した凸条１６と、前記長靴本体２の上端に開口する履口４の後外側面から後方側に突出して設けられた電池収納部１５と、を備えている。
上記長靴本体２は、合成ゴムからなり、全体が縦長で且つ上端に開口する履口４および下方の踵部５を有する脚筒部３と、該脚筒部３と連続し且つ全体が横長の足甲部６と、これらの底面に接合したソール（靴底）７とから構成されている。
【００１７】
また、前記凸条１６は、上記脚筒部３の前外側面と、上記足甲部６の上面の中央部とに沿って形成され、該凸条１６の外形は、図１（Ｃ）に示すように、扁平な長方形状の断面を有し、その内部には、該凸条１６の長手方向に沿って貫通する左右一対の通気路１７が位置している。該一対の通気路１７は、上記凸条１６の両端部を除くほぼ全長に沿って形成された切り壁１８によって、左右に２分割されている。因みに、上記一対の通気路１７の幅ｗは、約２０〜３０ｍｍであって、且つ厚み（ｔ；高さ）は、約８〜１２ｍｍ（例えば、１０ｍｍ）である。
更に、図１（Ｂ）に示すように、前記電池収納部１５は、前記脚筒部３の後外側面に縦長状に突出して配置され、且つその上端側が開口している。
【００１８】
図１（Ａ）に示すように、前記凸条１６の上端側には、送風ユニット８が配置されている。該送風ユニット８は、図２（Ａ）にも示すように、全体が薄い板形状である樹脂製のケース９と、該ケース９の内部に取り付けられたモーターＭと、該モーターＭによって回転するシロッコファン（ファン）Ｆと、上記ケース９から垂下した送風筒１０と、を備えている。該送風筒１０の内側は、垂直な遮蔽壁１２によって左右に２分割され、これらの下端には、左右一対の送風口１１が個別に開口している。該一対の送風口１１は、前記一対の通気路１７と個別に連通可能とされ、上記遮蔽壁１２は、前記仕切り壁１８と連続するように設定されている。尚、前記モーターＭには、例えば、直流ブラシレスモーターが用いられる。
【００１９】
また、前記送風筒１０の外側面における四辺の全周に沿って、複数の抜け止め用の突片１３が水平方向に突出するように縦方向に連続して形成されている。
更、前記ケース９における一方の側面には、前記モーターＭと導通する接続部１４が配置され、該接続部１４には、前記電池収納部１５に収納される次述の電池と導通するためのケーブル２０における一端側の端子２１が接続される。前記ケーブル２０は、図１（Ａ）に示すように、前記履口４の外側面に沿って貼り付けた保護カバー２３に覆われつつ、前記電池収納部１５側に水平に延びている。
加えて、図２（Ｂ）中の右上側に示すように、前記電池収納部１５には、縦長のリチウムイオン電池（電池）２４が収納される。該電池２４の上面に位置する接続部（図示せず）には、前記ケーブル２０の他端側の端子２２が接続される。
尚、上記電池収納部１５の上端側の開口部は、防水カバーで閉塞可能である。
【００２０】
図２（Ｂ）に示すように、前記一対の通気路１７の上端部内には、前記送風ユニット８の送風管１０が挿入され、該送風ユニット８における一対の送風口１１と個別に連通可能とされている。尚、上記送風ユニット８の直立姿勢を安定させるため、前記ケース９の背面と、脚筒部３にうける前外側面の上端部との間に、互いに係止し合う面ファスナー（図示せず）を配設しておくことが推奨される。
また、前記通気路１７における足甲部６の爪先側には、該足甲部６の内側に連通して開口する平面視が角形状の通気孔１９が形成されている。
更に、図２（Ｂ）に示すように、前記ソール７の上面に沿って、多孔質で且つ高弾性を有する中敷２３が敷設されている。該中敷２３の厚みは、無負荷時において約５ｍｍである。
【００２１】
以下において、前記空調長靴１の作用を、図３によって説明する。
予め、図３に示すように、前記送風ユニット８を、その送風管１０の各送風口１１が一対の通気路１７と個別に連通するように、前記脚筒部３の前外側面の上端側に取り付けると共に、該送風ユニット８内の前記モーターＭと、前記電池収納部１５に収納した前記リチウムイオン電池２４との間を、前記ケーブル２０を介して電気的に接続しておく。
次に、図示のように、予め、使用者のソックス（図示せず）を履いた脚ｆを前記履口４から長靴本体２の内側に挿入して、該使用者のすねｆ１及びふくらはぎｆ２を脚筒部３内に位置させる。同時に、該使用者の爪先ｆ４が足甲部６内の爪先側に達し、且つ、当該使用者の踵ｆ５がソール７の上面における後端側に接地する。この際、前記中敷２３の厚みは、約３〜４ｍｍの範囲で圧縮されている。
【００２２】
かかる状態で、前記送風ユニット８に内蔵されたモーターＭを駆動させ、前記シロッコファンＦを約４０００〜５０００ｒｐｍの高速度で回転させる。
すると、上記送風ユニット８のケース９の前面側に位置する吸い込み部（図示せず）から内側に吸い込まれた外気は、図３中における実線の矢印で示すように、前記遮蔽壁１２で区切られた一対の送風口１１から、前記脚筒部３の前外側面側に位置する前記一対の通気路１７を、前記仕切り壁１８を挟んで下向きに送風される。次に、かかる外気の風は、前記足甲部６の上面側に位置する前記左右一対の通気路１７を経て、該足甲部６の爪先ｆ４側に開口する前記通気孔１９を通過して、当該足甲部６の内側における前記爪先ｆ４付近に送風される。
更に、上記外気の風の一部は、図３中の前記同様の矢印で示すように、前記使用者における足の甲部ｆ５に沿って前記脚筒部３側に上昇するように送風され、他の風は、前記前記中敷２３の内部を通過して踵ｆ３の周囲から上記脚筒部３側へ上昇しつつ送風される。また、別の風は、使用者の足における左右両側の踝（図示せず）付近を通過してから、上記同様に脚筒部３側へ上向きに送風される。
【００２３】
以上の結果、使用者の脚ｆにおける爪先ｆ４や踵ｆ３付近は基より、該脚ｆの甲部ｆ５や、すねｆ１及びふくらはぎｆ２付近においても、纏わり付いた水蒸気などの水分が蒸発していく。
そして、前記外気の風は、図３中の破線の矢印で示すように、脚筒部３の上端に位置する前記履口４から、上記水分と共に、長靴本体２の外側へ順次排出されていく。即ち、前記風ユニット８から送風された外気は、前記通気路１７、通気孔１９、および足甲部６の内側を通過した後、前記使用者の脚ｆから蒸発させた水分を含んだ状態で、脚筒部３の履口４から外部に排出される。即ち、以上の外気は、水分を除去するように循環している媒体となる。
【００２４】
そのため、前述した各種の湿潤な環境の下において、長靴本体２を履く使用者に対して、快適な履き心地を確実に提供できる。
しかも、前記送風ユニット８は、前記履口４側の前外側面に配置され、且つ前記通気路１７は、縦長の前記脚筒部３における前外側面および横長の前記足甲部６の上面を経て、該足甲部６の爪先ｆ４側の通気孔１９から当該足甲部６の内側に連通している。即ち、前記長靴２の外側には、突出部が比較的少ないため、使用者が所要の作業を行っている際に、不用意な接触や衝突に遭う機会が低減されるので、変形や破損などに伴う故障を抑制できる。従って、長期間に亘って快適で安定した利用状態を保つことが可能となる。
従って、前記空調長靴１によれば、前記効果（１），（２）が確実に得られる。
【００２５】
尚、本考案の空調長靴は、前記の形態に限定されるものではない。
例えば、前記長靴本体２は、いわゆる半長靴（本体）に置き換えても良い。
また、前記通気路１７の断面形状は、半円形状、半楕円形状、あるいは、半長円形状としても良い。
更に、前記通気路１７の仕切り壁１８は、２つ以上を併設しても良い。
【００２６】
また、前記通気孔１９は、複数個を前記通気路１７の前後方向に沿って形成しても良い。この場合、爪先ｆ４側に位置する程、開口面積を大きくしても良い。
更に、前記電池収納部１５の位置は、平面視で、前記履き口４の真後ろの外側面に限らず、やや外側の外側面、あるいは真横付近の外側面に配置しても良い。
加えて、前記通気路１７を内設する前記凸条１６の外側面に沿って、注意喚起用の光反射テープを貼り付けたり、あるいは、蛍光塗料を帯状に塗布しても良い。
【産業上の利用可能性】
【００２７】
本考案によれば、湿潤な環境の下において長靴を履く使用者に対し、快適な履き心地を提供し、且つ不用意な変形や破損などを生じにくくした空調長靴を確実に提供てきる。
【符号の説明】
【００２８】
１……空調長靴
２……長靴本体（長靴）
３……脚筒部
４……履口
６……足甲部
７……ソール
８……送風ユニット
１１…送風口
１５…電池収納部
１７…通気路
１８…仕切り壁
１９…通気孔
ｆ３…爪先
Ｍ……モーター
ｔ……厚み
ｗ……幅
【図１】
0003220123.tif 000003
【図２】
0003220123.tif 000004
【図３】
0003220123.tif 000005